(57)【要約】  優先書換処理部４０は、得られた検知データの優先度ランクが、メモリーカード１０から読み出された優先度ランクのいずれかよりも高い場合に、少なくとも得られた検知データを優先させてメモリーカード１０に書き込むので、優先度の高い運転挙動の検知データを確実に記憶することができる。
2007058358.tif 000002
【特許請求の範囲】
【請求項１】
少なくとも車両の加速度を検知する加速度センサをもち、車両における運転挙動のデータであって加速度データを含む検知データを取得するセンサ部、得られた運転挙動の検知データを複数記憶する記録媒体、および各部を制御する制御ユニットを有する車載本体部が車両に搭載されてなり、この運転挙動の検知データを記録する運転挙動記録装置であって、
運転挙動の検知データにはその挙動の度合いに応じて優先度ランクが付加されて、前記記録媒体に複数の運転挙動の検知データおよびその優先度ランクが記憶されるものであり、
前記制御ユニットは、
得られた運転挙動の検知データの優先度ランクと、前記記録媒体から読み出された各検知データの優先度ランクとを比較して、前記得られた検知データの優先度ランクが、前記読み出された優先度ランクのいずれかよりも高い場合に、少なくとも前記得られた検知データを優先させて前記記録媒体に書き込む優先書換処理部を備えた運転挙動記録装置。
【請求項２】
請求項１において、
前記優先書換処理部は、
運転挙動の検知データおよびこれに付加された優先度ランクが記憶された前記記録媒体から、優先度ランクを順次読み出すランク読出手段と、
得られた運転挙動の検知データの優先度ランクと、前記記録媒体から読み出された各検知データの優先度ランクとを比較するランク比較手段と、
前記得られた検知データの優先度ランクが、前記読み出された優先度ランクのいずれかよりも高い場合に、少なくとも前記読み出された優先度ランクの低い検知データよりも前記得られた検知データを優先させて前記記録媒体に書き込む優先データ記憶処理手段と、
を備えた運転挙動記録装置。
【請求項３】
請求項１において、前記車載本体部は、車両の運転状況を撮像する撮像装置を有して、前記運転挙動の検知データとして運転画像データを含み、前記優先データ記憶処理手段は、さらに、前記優先された運転画像データを前記記録媒体に書き込むものである、運転挙動記録装置。
【請求項４】
請求項１において、前記運転挙動の検知データは、所定時間内に連続する運転挙動の検知データのうち特定挙動を含む一連の場面である特定挙動シーンのデータである運転挙動記録装置。
【請求項５】
請求項１において、前記運転挙動の度合いが危険度である運転挙動記録装置。
【請求項６】
請求項１において、前記運転挙動の度合いが経済度である運転挙動記録装置。
【発明の詳細な説明】
【技術分野】
【０００１】
本発明は、運転者の安全運転や経済運転などのために用いる運転挙動の検知データを記録する運転挙動記録装置に関する。
【背景技術】
【０００２】
従来から、車両を実際に運転した運転者の運転挙動に関するデータを取得し、運転者の安全運転技術や経済運転技術などの向上に役立たせる運転挙動記録装置が知られている（例えば、特許第３０４４０２５号公報）。【０００３】
この運転挙動記録装置は、一般に車載本体部が車両に搭載され、この車載本体部が、車両の加速度を検知する加速度センサや車両の運転状況を撮像する撮像装置などをもち、この加速度データや運転画像データを含む運転挙動の検知データを取得するセンサ部、得られた運転挙動の検知データを記録するメモリーカードを有する。通常、データ処理は運転管理部などに設置されたパーソナルコンピュータ（ＰＣ）で処理される。【０００４】
この運転挙動記録装置では、例えば、加速度センサで検知した加速度データがしきい値以上であれば危険挙動として、メモリーカードに記録していた。この場合、メモリーカードの使用領域が満杯になると、順次、新しいデータを上書きするようにしていた。【０００５】
しかし、従来では、危険度の高いデータが記録された場合に、その後にわざと急ブレーキを何度も踏むような運転をし、このデータで当該危険度の高いデータを上書することにより、当該危険度の高い記録が意図的に抹消されてしまう、という問題があった。
【特許文献１】特許第３０４４０２５号公報
【発明の開示】
【０００６】
本発明は、前記の問題点を解決して、優先度の高い運転挙動の検知データを確実に記憶することができる運転挙動記録装置を提供することを目的とする。
【０００７】
前記目的を達成するために、本発明にかかる運転挙動記録装置は、少なくとも車両の加速度を検知する加速度センサをもち、車両における運転挙動のデータであって加速度データを含む検知データを取得するセンサ部、得られた運転挙動の検知データを複数記憶する記録媒体、および各部を制御する制御ユニットを有する車載本体部が車両に搭載されてなり、この運転挙動の検知データを記録する運転挙動記録装置であって、運転挙動の検知データにはその挙動の度合いに応じて優先度ランクが付加されて、前記記録媒体に複数の運転挙動の検知データおよびその優先度ランクが記憶されるものであり、前記制御ユニットは、得られた運転挙動の検知データの優先度ランクと、前記記録媒体から読み出された各検知データの優先度ランクとを比較して、前記得られた検知データの優先度ランクが、前記読み出された優先度ランクのいずれかよりも高い場合に、少なくとも前記得られた検知データを優先させて前記記録媒体に書き込む優先書換処理部を備えている。
【０００８】
この構成によれば、得られた検知データの優先度ランクが、記録媒体から読み出された優先度ランクのいずれかよりも高い場合に、少なくとも得られた検知データを優先させて記録媒体に書き込むので、記録媒体の使用領域が満杯になっても優先度の高い運転挙動の検知データを確実に記憶することができる。
【０００９】
好ましくは、前記優先書換処理部は、運転挙動の検知データおよびこれに付加された優先度ランクが記憶された前記記録媒体から、優先度ランクを順次読み出すランク読出手段と、得られた運転挙動の検知データの優先度ランクと、前記記録媒体から読み出された各検知データの優先度ランクとを比較するランク比較手段と、前記得られた検知データの優先度ランクが、前記読み出された優先度ランクのいずれかよりも高い場合に、少なくとも前記読み出された優先度ランクの低い検知データよりも前記得られた検知データを優先させて前記記録媒体に書き込む優先データ記憶処理手段とを備えている。したがって、優先度の高い運転挙動の検知データをより確実に記憶することができる。
【００１０】
好ましくは、前記車載本体部は、車両の運転状況を撮像する撮像装置を有して、前記運転挙動の検知データとして運転画像データを含み、前記優先データ記憶処理部は、さらに、前記優先された運転画像データを前記記録媒体に書き込むものである。したがって、優先度の高い運転挙動データの運転画像データを確実に記憶することができる。
【００１１】
好ましくは、前記運転挙動の検知データは、所定時間内に連続する運転挙動の検知データのうち特定挙動を含む一連の場面である特定挙動シーンのデータである。したがって、優先度の高い特定挙動シーンを確実に記憶することができる。
【００１２】
好ましくは、前記運転挙動の度合いが危険度または経済度である。危険度とは適宜定めたもので安全運転のために好ましくない度合いをいい、経済度とは適宜定めたもので一定距離の走行に必要な燃料消費量を表す指標をいう。
【図面の簡単な説明】
【００１３】
本発明は、添付の図面を参考にした以下の好適な実施形態の説明から、より明瞭に理解されるであろう。しかしながら、実施形態および図面は単なる図示および説明のためのものであり、この発明の範囲を定めるために利用されるべきものではない。この発明の範囲は添付のクレーム（請求の範囲）によって定まる。添付図面において、複数の図面における同一の部品符号は同一部分を示す。
【図１】本発明の第１実施形態に係る運転挙動記録装置を示す概略構成図である。
【図２】図１の優先書換制御部を示す構成図である。
【図３】図２の優先書換処理部を示す構成図である。
【図４】メモリーカードの記憶内容を示す図である。
【図５】優先書換処理部の動作を示すフローチャート図である。
【図６】第２実施形態に係る優先書換処理部および誤検知低減処理部を示す構成図である。
【図７】誤検知低減処理部を示す構成図である。
【図８】加速度データにおけるパルス波形の一例を示す図である。
【図９】誤検知低減処理部の動作を示すフローチャート図である。
【発明を実施するための最良の形態】
【００１４】
以下、本発明の実施形態を図面にしたがって説明する。図１は、本発明の第１実施形態に係る運転挙動記録装置を示す概略構成図である。本装置は、車両に搭載されて当該車両の運転挙動の検知データを得る車載本体部（レコーダ部）１と、レコーダ部１で得られたデータを解析する解析部２とを備えている。レコーダ部１は、車両の運転状況を撮影するＣＣＤカメラ３、加速度データを検知する加速度センサ４、車両位置を検知するＧＰＳ５、および速度、ウインカー、エンジン回転数、ドア開閉、アクセル開度などの車両情報を検出する車両情報センサ６を含むセンサ部Ｓと、装置全体を制御する制御ユニット（ＣＰＵ）７と、バッファメモリ８と、状態表示器９と、レコーダ部１に抜き差し可能に設けられたメモリーカード（またはメモリー）のような記録媒体１０を備えている。【００１５】
前記メモリーカード１０には、センサ部Ｓからの時刻、速度、加速度、ＧＰＳ、ウインカー、エンジン回転数、ドア開閉、アクセル開度などの数値データ、および運転画像データが記憶される。これらの得られた運転挙動の検知データにはその挙動の度合いに応じて優先度ランクが付加されて、メモリーカード１０に複数の運転挙動の検知データおよびその優先度ランクが記憶される。【００１６】
前記レコーダ部１におけるＣＰＵの制御部７は、優先書換制御部１３を備えている。図２に示すように、この優先書換制御部１３は、数値データを一時的に記憶するバッファメモリ３１、信号解析手段３３、シーン抽出手段３４、優先書換処理部５０、運転画像データを一時的に記憶するバッファメモリ３２、切換スイッチ３５およびファイル合成手段３６を備えている。【００１７】
例えば、加速度データのような数値データは、バッファメモリ３１に一時的に記憶されて、信号解析手段３３で信号解析される。シーン抽出手段３４では、信号解析された加速度データについて、所定しきい値、例えば特定挙動しきい値に基づき危険挙動のような特定挙動シーンが抽出される。そして、この特定挙動シーンにはその危険度に応じて優先度ランクが付加される。【００１８】
前記特定挙動シーンとは、所定時間内に連続する運転挙動の検知データのうち特定挙動を含む一連の場面のデータをいい、この例では、特定挙動シーンに後述する危険運転画像のデータが含まれる。前記シーン抽出手段３４から抽出された特定挙動シーンについて、優先書換処理部５０は、得られた運転挙動の検知データの優先度ランクと、メモリーカード１０から読み出された各検知データの優先度ランクとを比較して、前記得られた検知データの優先度ランクが、前記読み出された優先度ランクのいずれかよりも高い場合に、少なくとも前記得られた検知データを優先させてメモリーカード１０に書き込む。【００１９】
図３に示すように、前記優先書換処理部５０は、ランク読出手段５１、ランク比較手段５２、優先データ記憶処理手段５３を備えている。ランク読出手段５１は、運転挙動の検知データおよびこれに付加された優先度ランクが記憶されたメモリーカード１０から、優先度ランクを順次読み出す。ランク比較手段５２は、得られた運転挙動の検知データの優先度ランクと、メモリーカード１０から読み出された各検知データの優先度ランクとを比較する。優先データ記憶処理手段５３は、前記得られた検知データの優先度ランクが、前記読み出された優先度ランクのいずれかよりも高い場合に、少なくとも前記読み出された優先度ランクの低い検知データよりも前記得られた検知データを優先させて前記メモリーカード１０に書き込む。【００２０】
危険度の優先度ランクの登録は、例えば、３軸加速度の合成ベクトルを数値化し、数値をファイル名に記入することで加速度の大きいものを優先してランク付けする方法が挙げられる。また、危険度を比較する方法として、危険度一覧を参照する方法が挙げられるが、ファイル名やフォルダ名に上記危険度の数値やランクを示す文字を埋め込んで参照する方法でもよい。【００２１】
例えば、加速度センサ４で検知された加速度データと、ＣＣＤカメラ３で撮影された運転画像データとは信号出力の同期がとられており、前記特定挙動シーンについて優先書換処理部５０による書込指示および優先度ランクに基づき、切換スイッチ３５の切り換えにより両データの書き込みが行われることになる。ファイル合成部３６で加速度データと運転画像データが合成ファイル化されて、メモリーカード１０に記録される。数値データのみについては別途、ＣＰＵ内の信号解析部３３で信号解析され、図１のバッファメモリ８および切換スイッチを介してメモリーカード１０に記憶される。図４に示すように、メモリーカード１０は、例えば数値データのみを記録する領域と、数値データおよび運転画像データを記録する領域とを有する。【００２２】
なお、図１の解析部２はパーソナルコンピュータ（ＰＣ）からなり、そのＲＯＭやＲＡＭなどに解析ソフトが格納され、メモリーカード１０に記録されたデータから複数人の運行データが蓄積されるデータベース２１を有し、この蓄積されたデータを使用して行う運行記録報告日報の作成部、運転の良否診断部、事故時の自車の挙動解析部の各部のほかに、道路情報の分析部２２を有している。【００２３】
以下、図５のフローチャートを用いて、本装置の優先書換処理部５０の動作について説明する。ここでは運転挙動の検知データとして加速度データを用いている。
まず、加速度（Ｇ）センサ４により３軸加速度Ｇｘｙｚが検知され、ＣＣＤカメラ３により車両の運転状況が撮像されて（ステップＴ１）、加速度データおよび運転画像データが取得される（ステップＴ２）。つぎに、特定挙動の検知データを含む特定挙動シーンの抽出が行われ、そのシーンについて優先度ランクが付加される（ステップＴ３）。メモリーカード１０から優先度ランクが順次読み出され、得られたシーンの優先度ランクと比較される（ステップＴ４）。【００２４】
そして、得られたシーンの優先度ランクが、メモリーカード１０から読み出されたいずれかのシーンの優先度ランクよりも低い場合、または最低ランクと同じ場合には、その得られたシーンは書き込まれない（ステップＴ６）。メモリーカード１０に空き領域がある場合には、その得られたシーンがその空き領域に追記されて（ステップＴ７）、メモリーカード１０に書き込まれる（ステップＴ９）。得られたシーンの優先度ランクが、メモリーカードから読み出されたいずれかのシーンの優先度ランクよりも高い場合には、最低ランクのシーンについて得られたシーンを上書きすることにより消去させ（ステップＴ８）、その得られたシーンがメモリーカード１０に書き込まれる（ステップＴ９）。【００２５】
こうして、第１実施形態では、得られた検知データの優先度ランクが、メモリーカード１０から読み出された優先度ランクのいずれかよりも高い場合に、少なくとも得られた検知データを優先させてメモリーカード１０に書き込むので、メモリーカード１０の使用領域が満杯になっても、優先度の高い運転挙動の検知データを確実に記憶させることができる。【００２６】
なお、第１実施形態では、運転挙動の度合いを危険度としているが、これに代えて、経済度（エコロジー度）やスムーズ度でもよい。経済度（エコロジー度）の場合、例えばセンサ部Ｓのアクセル開度の検知による「無駄な空ぶかしシーン」に優先度ランクを高くする。【００２７】
つぎに、第２実施形態について説明する。図６に示すように、第２実施形態は、第１実施形態と異なり、図２の構成に加えて誤検知低減処理部４０を有する。また、誤検知低減処理部４０の保存指示とランク情報により切り換える切換スイッチ３５と、優先書換処理部５０の書込指示により切り換える切換スイッチ３７を有する。その他の構成は第１実施形態と同様である。【００２８】
従来では、単に検知した加速度データがしきい値以上であれば危険挙動として記録していたため、車両が道路の段差のような路面の大きな凹凸や急な坂道を進入した直後に、急ブレーキや急アクセルと同等の大きな加速度が発生し、危険挙動と誤検知して記録される場合がある。このため、運転挙動の誤検知の増大により、メモリーカード１０に危険挙動と異なる不要なデータが多く記録されてしまい、メモリーカード１０の記憶容量不足やその後のデータ処理に支障をきたすなどの問題があった。そこで、第２実施形態では、上記した優先書換処理部５０で優先度の高い危険挙動の検知データを確実に記憶させるとともに、図６のＣＰＵ（制御ユニット）内の誤検知低減処理部４０が、運転挙動の検知データにおけるパルス波形の波高およびパルス幅の少なくとも１つに基づいて、そのうち特定の挙動データおよびこの特定挙動データと誤検知される擬似挙動データを判別し、判別された特定挙動データ（シーン）をメモリーカード１０に記憶させる。【００２９】
図６の誤検知低減処理部４０は、図７に示すとおり、運転挙動の検知データにおけるパルス波形を分析するパルス波形分析手段４１と、前記パルス波形の波高の判定基準となる所定の波高しきい値を予め記憶する波高しきい値記憶部４２と、前記パルス波形のパルス幅の判定基準となる所定のパルス幅しきい値を予め記憶するパルス幅しきい値記憶部４３と、前記パルス波形の波高の前記波高しきい値に対する高低の判定、および前記パルス波形のパルス幅の前記パルス幅しきい値に対する大小の判定の少なくとも１つに基づいて、特定挙動データと擬似挙動データとを判別する挙動判別手段４４と、判別された特定挙動データを出力してこれを前記メモリーカード１０に記憶させ、判別された擬似挙動データを除去する挙動記憶処理手段４５とを備えている。【００３０】
図８は、加速度データにおけるパルス波形の一例を示す。この図において、道路の段差におけるパルス波形ａ、道路の段差における別のパルス波形ｂ、急ブレーキによる危険挙動におけるパルス波形ｃを示す。図中、Ｈはパルス波（トリガ）の上下動の強さ（波高）を示し、Ｈ０〜Ｈ２（Ｈ０＜Ｈ１＜Ｈ２）は３段階のパルス波（トリガ）の波高しきい値である。Ｈ０は開始／終了トリガレベルであって最も低い値であり、Ｈ１は第１波高しきい値で条件トリガレベルを示してＨ０よりも高い値であり、Ｈ２は第２波高しきい値で無条件トリガレベルを示して最も高い値である。【００３１】
また、Ｗはパルス波の１パルスの時間の長さ（パルス幅）を示し、Ｗ１、Ｗ２１（Ｗ１＜Ｗ２）は、２段階のパルス幅しきい値である。Ｗ１は第１のパルス幅しきい値であって最も小さい値であり、Ｗ２は第２のパルス幅しきい値であってＷ１よりも大きな値である。【００３２】
前記挙動判別手段４４により、前記パルス波形の波高が第２波高しきい値Ｈ２を超える場合、または、前記パルス波形の波高が第１波高しきい値Ｈ１を超え、かつ前記パルス波形のパルス幅が第２パルス幅しきい値Ｗ２を超える場合には、パルス幅が大きくなる（パルス時間が長くなる）急ブレーキと判断されて、危険挙動のパターンと判別される。また、前記パルス波形の波高が第１波高しきい値Ｈ１を超えて第２波高しきい値Ｈ２以下であって、前記パルス波形のパルス幅が第１パルス幅しきい値Ｗ１以下の場合には、段差による擬似挙動のパターンと判別される。さらに、前記パルス波形の波高が第１波高しきい値Ｈ１を超えてその上下振動がなく（つまり上下振動パルスの波高およびパルス幅が所定のしきい値内であり）、かつ前記パルス波形のパルス幅が第１パルス幅しきい値Ｗ１を超えて第２パルス幅しきい値Ｗ２以下の場合には、危険挙動のパターンと判別される。この上下振動は、車両の段差乗り上げとその落下による段差挙動によるものである。【００３３】
以下、図９のフローチャートを用いて、誤検知低減処理部４０の動作について説明する。この第２実施形態では、図５のフローチャートで優先書換処理部５０の処理がされる前に、誤検知低減処理が行われる。ここでは運転挙動の検知データとして加速度データを用いている。
まず、加速度（Ｇ）センサ４により検知された３軸加速度Ｇｘｙｚのデータをサンプリングし（ステップＳ１）、移動平均による平滑化を行う（ステップＳ２）。そして、運転挙動シーンのうちいずれかのデータのパルス波形が開始トリガレベルＨ０を超えたか否かが確認される（ステップＳ３）。超えない場合にはステップＳ１に戻る。超えた場合には、パルス時間（パルス幅）の測定が開始され（ステップＳ４）、いずれかのデータのパルス波形が第１波高しきい値（条件トリガレベル）Ｈ１を超えたか否かが確認される（ステップＳ５）。超えない場合にはステップＳ１に戻る。超えた場合にはいずれかのデータのパルス波形が終了トリガレベルＨ０未満になったか否かが確認される（ステップＳ６）。未満にならない場合にはステップＳ６に戻る。未満になった場合には、パルス時間（パルス幅）の測定が終了される（ステップＳ７）。【００３４】
つぎに、パルス波形が第２波高しきい値（無条件トリガレベル）Ｈ２を超えたか否かが確認される（ステップＳ８）。無条件トリガレベルＨ２を超えた場合、当該データが記録される（ステップＳ１２）。無条件トリガレベルＨ２を超えない場合、パルス波形が第１のパルス幅Ｗ１しきい値を超えないか否かが確認される（ステップＳ９）。超えない場合には、パルス時間が比較的短くなる段差と判断して、記録の対象とならず、ステップＳ１に戻る。超えた場合には、パルス波形が第２のパルス幅しきい値Ｗ２を超えるか否かが確認され（ステップＳ１０）、超える場合にはパルス時間が比較的長くなる急ブレーキがなされた危険挙動と判断して、当該データが記録（記憶）される（ステップＳ１３）。超えない場合には、パルス波形が条件トリガレベルＨ１を超えた状態で上下（±）振動があったか否かが確認される（ステップＳ１１）。上下振動がある場合には、段差挙動と判断してステップＳ１に戻る。上下振動がない場合には急ブレーキに近い危険挙動と判断して当該データが記録される（ステップＳ１４）。【００３５】
こうして、この第２実施形態は、優先書換処理部５０で優先度の高い危険挙動の検知データ（シーン）をメモリーカード１０に確実に記憶させるとともに、誤検知低減処理部４０で誤検知を低減することができるので、誤検知低減処理部４０と優先書換処理部５０が相俟って、メモリーカード１０に記録される不要なデータ（シーン）がより少なくなり、メモリーカード１０の記憶容量不足やその後のデータ処理における支障を解消することができる。【００３６】
なお、この実施形態では、運転挙動のうち特定挙動を危険運転挙動としているが、これに代えて経済運転挙動（エコロジー挙動）やスムーズ運転挙動などとしてもよい。また、車輌情報センサ６は図１で示されたセンサ以外に必要に応じて適宜なセンサが構成される。【００３７】
以上のとおり図面を参照しながら好適な実施形態を説明したが、当業者であれば、本件明細書を見て、自明な範囲内で種々の変更および修正を容易に想定するであろう。したがって、そのような変更および修正は、添付の請求の範囲から定まる本発明の範囲内のものと解釈される。
【図１】
2007058358.tif 000003
【図２】
2007058358.tif 000004
【図３】
2007058358.tif 000005
【図４】
2007058358.tif 000006
【図５】
2007058358.tif 000007
【図６】
2007058358.tif 000008
【図７】
2007058358.tif 000009
【図８】
2007058358.tif 000010
【図９】
2007058358.tif 000011
【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
少なくとも車両の加速度を検知する加速度センサをもち、車両における運転挙動のデータであって加速度データを含む検知データを取得するセンサ部、得られた運転挙動の検知データを複数記憶する記録媒体、および各部を制御する制御ユニットを有する車載本体部が車両に搭載されてなり、この運転挙動の検知データを記録する運転挙動記録装置であって、
運転挙動の検知データにはその挙動の度合いに応じて優先度ランクが付加されて、前記記録媒体に複数の運転挙動の検知データおよびその優先度ランクが記憶されるものであり、
前記制御ユニットは、
前記運転挙動の検知データにおけるパルス波形の波高とパルス幅の組み合わせに基づいて、そのうち特定の挙動データおよびこの特定挙動データと誤検知される擬似挙動データを判別し、判別された特定挙動データを前記記録媒体に記憶させる誤検知低減処理部と、
前記誤検知低減処理が行われ、得られた運転挙動の検知データの優先度ランクと、前記記録媒体から読み出された各検知データの優先度ランクとを比較して、前記得られた検知データの優先度ランクが、前記読み出された優先度ランクのいずれかよりも高い場合に、少なくとも前記得られた検知データを優先させて前記記録媒体に書き込む優先書換処理部を備えた運転挙動記録装置。
【請求項２】
請求項１において、
前記優先書換処理部は、
運転挙動の検知データおよびこれに付加された優先度ランクが記憶された前記記録媒体から、優先度ランクを順次読み出すランク読出手段と、
得られた運転挙動の検知データの優先度ランクと、前記記録媒体から読み出された各検知データの優先度ランクとを比較するランク比較手段と、
前記得られた検知データの優先度ランクが、前記読み出された優先度ランクのいずれかよりも高い場合に、少なくとも前記読み出された優先度ランクの低い検知データよりも前記得られた検知データを優先させて前記記録媒体に書き込む優先データ記憶処理手段と、
を備えた運転挙動記録装置。
【請求項３】
請求項１において、前記車載本体部は、車両の運転状況を撮像する撮像装置を有して、前記運転挙動の検知データとして運転画像データを含み、前記優先データ記憶処理手段は、さらに、前記優先された運転画像データを前記記録媒体に書き込むものである、運転挙動記録装置。
【請求項４】
請求項１において、前記運転挙動の検知データは、所定時間内に連続する運転挙動の検知データのうち特定挙動を含む一連の場面である特定挙動シーンのデータである運転挙動記録装置。
【請求項５】
請求項１において、前記運転挙動の度合いが危険度である運転挙動記録装置。
【請求項６】
請求項１において、前記運転挙動の度合いが経済度である運転挙動記録装置。
【手続補正２】
【補正対象書類名】明細書
【補正対象項目名】０００７
【補正方法】変更
【補正の内容】
【０００７】
前記目的を達成するために、本発明にかかる運転挙動記録装置は、少なくとも車両の加速度を検知する加速度センサをもち、車両における運転挙動のデータであって加速度データを含む検知データを取得するセンサ部、得られた運転挙動の検知データを複数記憶する記録媒体、および各部を制御する制御ユニットを有する車載本体部が車両に搭載されてなり、この運転挙動の検知データを記録する運転挙動記録装置であって、運転挙動の検知データにはその挙動の度合いに応じて優先度ランクが付加されて、前記記録媒体に複数の運転挙動の検知データおよびその優先度ランクが記憶されるものであり、前記制御ユニットは、前記運転挙動の検知データにおけるパルス波形の波高とパルス幅の組み合わせに基づいて、そのうち特定の挙動データおよびこの特定挙動データと誤検知される擬似挙動データを判別し、判別された特定挙動データを前記記録媒体に記憶させる誤検知低減処理部と、前記誤検知低減処理が行われ、得られた運転挙動の検知データの優先度ランクと、前記記録媒体から読み出された各検知データの優先度ランクとを比較して、前記得られた検知データの優先度ランクが、前記読み出された優先度ランクのいずれかよりも高い場合に、少なくとも前記得られた検知データを優先させて前記記録媒体に書き込む優先書換処理部を備えている。
【手続補正３】
【補正対象書類名】明細書
【補正対象項目名】０００８
【補正方法】変更
【補正の内容】
【０００８】
この構成によれば、誤検知低減処理部で運転挙動の検知データにおけるパルス波形の波高とパルス幅の組み合わせに基づき特定の挙動データと擬似挙動データを判別して誤検知低減処理が行われ、得られた運転挙動の検知データから優先度の高い検知データを優先書換処理部で優先書換処理するので、優先書換処理部で優先度の高い運転挙動の検知データを記録媒体に確実に記憶させるとともに、誤検知低減処理部で誤検知を低減することができるから、誤検知低減処理部と優先書換処理部が相俟って、記録媒体に記録される不要なデータがより少なくなり、記録媒体の記憶容量不足やその後のデータ処理における支障を解消することができる。
【国際調査報告】
2007058358.tif 000012
2007058358.tif 000013
2007058358.tif 000014
2007058358.tif 000015